【手続補正書】
【提出日】平成26年12月16日(2014.12.16)
【手続補正１】
【補正対象書類名】特許請求の範囲
【補正対象項目名】全文
【補正方法】変更
【補正の内容】
【特許請求の範囲】
【請求項１】
視聴の推奨をユーザに対して提供する方法であって、
前記ユーザによる対話のセッションに関係する使用法データを収集するステップと、
前記セッションに関してユーザデータを処理するステップと、
前記セッションに関するフィードバックを提供するステップと、
を含む、前記方法。
【請求項２】
前記使用法データは前記ユーザが視たコンテンツに関係する、請求項１に記載の方法。
【請求項３】
前記ユーザが視たコンテンツに関係する前記使用法データは、視たコンテンツ、前記コンテンツを視た時間、前記コンテンツをどれだけ長く視たか、視たコンテンツのタイプ、前記視たコンテンツに関する情報、前記コンテンツのソース、および、前記コンテンツをどのデバイスで視たか、のうちの１つまたは複数を含む、請求項２に記載の方法。
【請求項４】
ユーザデータを収集する前記ステップを、集約モジュールを使用して遂行する、請求項１に記載の方法。
【請求項５】
前記セッションは、
照会段階、
結果段階、
詳細段階、
選択段階、および、
確認段階、
を含む、請求項１に記載の方法。
【請求項６】
前記照会段階は前記ユーザが遂行する検索を含む、請求項５に記載の方法。
【請求項７】
前記照会段階に関係するユーザデータは、前記ユーザが遂行する前記検索のトピックを含む、請求項６に記載の方法。
【請求項８】
前記結果段階に関係するユーザデータは、照会段階中のユーザ入力に基づいて返されるデータを含む、請求項５に記載の方法。
【請求項９】
前記結果段階は、遂行された検索の結果、ビデオオンデマンド（ＶＯＤ）の提供の一覧、前に記録された番組の一覧、および、電子番組ガイド（ＥＰＧ）における一覧、のうちの１つまたは複数を提供するステップを含む、請求項５に記載の方法。
【請求項１０】
前記結果を、ユーザおよび／またはデバイスに基づいてフィルタする、請求項９に記載の方法。
【請求項１１】
前記詳細段階に関係するユーザデータは、前記照会段階中のユーザ入力に基づいて返されるデータに関する追加的な詳細を含む、請求項５に記載の方法。
【請求項１２】
前記詳細段階は、あらすじ、配役およびスタッフの一覧、評価、予告編、ビデオクリップ、並びに、販売促進用の一覧および提示、のうちの１つまたは複数を提供するステップを含む、請求項５に記載の方法。
【請求項１３】
前記選択段階は、
視聴されるコンテンツのユーザ選択を受信するステップと、
コンテンツを視るための要件に関する情報を提供するステップと、
を含む、請求項５に記載の方法。
【請求項１４】
コンテンツを視るための要件に関する前記情報は価格設定情報を含む、請求項１３に記載の方法。
【請求項１５】
前記選択段階に関係するユーザデータは、前記ユーザが選択する前記コンテンツを含む、請求項１３に記載の方法。
【請求項１６】
前記確認段階は、視聴されるコンテンツの取得を含む、請求項５に記載の方法。
【請求項１７】
コンテンツの前記取得はさらに、コンテンツを取得するためのユーザによる条件の受諾を受信するステップを含む、請求項１６に記載の方法。
【請求項１８】
前記確認段階に関係するユーザデータは、コンテンツの前記取得に関係するデータを含む、請求項１７に記載の方法。
【請求項１９】
フィードバックを提供する前記ステップは、ユーザプロファイルを生成するステップを含む、請求項１に記載の方法。
【請求項２０】
セッションのデータを、提供されるフィードバックに基づいて修正するステップをさらに含む、請求項１に記載の方法。
【請求項２１】
視聴の推奨をユーザに対して提供するシステムであって、
前記ユーザによる対話のセッションに関係する使用法データを収集するように構成されるフロントエンドと、
前記セッションに関してユーザデータを処理し、および、前記セッションに関するフィードバックを提供するように構成されるバックエンドと、
を備える、前記システム。
【請求項２２】
前記フロントエンドはタッチスクリーンデバイスを備える、請求項２１に記載のシステム。
【請求項２３】
サーバは、
パーソナル化エンジン、および、
使用法データベース
を備える、請求項２１に記載のシステム。
【手続補正２】
【補正対象書類名】明細書
【補正対象項目名】００６１
【補正方法】変更
【補正の内容】
【００６１】
さらに、上の説明は単に例示の目的を意図しており、以下の特許請求の範囲に記載されるものを除いて、決して本発明を限定することを意図していない。
［付記１］
視聴の推奨をユーザに対して提供する方法であって、
前記ユーザによる対話のセッションに関係する使用法データを収集するステップと、
前記セッションに関してユーザデータを処理するステップと、
前記セッションに関するフィードバックを提供するステップと、
を含む、前記方法。
［付記２］
前記使用法データは前記ユーザが視たコンテンツに関係する、付記１に記載の方法。
［付記３］
前記ユーザが視たコンテンツに関係する前記使用法データは、視たコンテンツ、前記コンテンツを視た時間、前記コンテンツをどれだけ長く視たか、視たコンテンツのタイプ、前記視たコンテンツに関する情報、前記コンテンツのソース、および、前記コンテンツをどのデバイスで視たか、のうちの１つまたは複数を含む、付記２に記載の方法。
［付記４］
ユーザデータを収集する前記ステップを、集約モジュールを使用して遂行する、付記１に記載の方法。
［付記５］
前記セッションは、
照会段階、
結果段階、
詳細段階、
選択段階、および、
確認段階、
を含む、付記１に記載の方法。
［付記６］
前記照会段階は前記ユーザが遂行する検索を含む、付記５に記載の方法。
［付記７］
前記照会段階に関係するユーザデータは、前記ユーザが遂行する前記検索のトピックを含む、付記６に記載の方法。
［付記８］
前記結果段階に関係するユーザデータは、ユーザ入力に基づいて照会段階中に返されるデータを含む、付記５に記載の方法。
［付記９］
前記結果段階は、遂行された検索の結果、ビデオオンデマンド（ＶＯＤ）の提供の一覧、前に記録された番組の一覧、および、電子番組ガイド（ＥＰＧ）における一覧、のうちの１つまたは複数を提供するステップを含む、付記５に記載の方法。
［付記１０］
前記結果を、ユーザおよび／またはデバイスに基づいてフィルタする、付記９に記載の方法。
［付記１１］
前記詳細段階に関係するユーザデータは、ユーザ入力に基づいて照会段階中に返される前記データに関する追加的な詳細を含む、付記５に記載の方法。
［付記１２］
前記詳細段階は、あらすじ、配役およびスタッフの一覧、評価、予告編、ビデオクリップ、並びに、販売促進用の一覧および提示、のうちの１つまたは複数を提供するステップを含む、付記５に記載の方法。
［付記１３］
前記選択段階は、
視聴されるコンテンツのユーザ選択を受信するステップと、
コンテンツを視るための要件に関する情報を提供するステップと、
を含む、付記５に記載の方法。
［付記１４］
コンテンツを視るための要件に関する前記情報は価格設定情報を含む、付記１３に記載の方法。
［付記１５］
前記選択段階に関係するユーザデータは、前記ユーザが選択する前記コンテンツを含む、付記１３に記載の方法。
［付記１６］
前記確認段階は、視聴されるコンテンツの取得を含む、付記５に記載の方法。
［付記１７］
コンテンツの前記取得はさらに、ユーザによる条件の受諾を受信してコンテンツを取得するステップを含む、付記１６に記載の方法。
［付記１８］
前記確認段階に関係するユーザデータは、コンテンツの前記取得に関係するデータを含む、付記１７に記載の方法。
［付記１９］
フィードバックを提供する前記ステップは、ユーザプロファイルを生成するステップを含む、付記１に記載の方法。
［付記２０］
セッションのデータを、提供されるフィードバックに基づいて修正するステップをさらに含む、付記１に記載の方法。
［付記２１］
視聴の推奨をユーザに対して提供するシステムであって、
前記ユーザによる対話のセッションに関係する使用法データを収集するように構成されるフロントエンドと、
前記セッションに関してユーザデータを処理し、および、前記セッションに関するフィードバックを提供するように構成されるバックエンドと、
を備える、前記システム。
［付記２２］
前記フロントエンドはタッチスクリーンデバイスを備える、付記２１に記載のシステム。
［付記２３］
サーバは、
パーソナル化エンジン、および、
使用法データベース
を備える、付記２１に記載のメディアシステム。